(57)【要約】【課題】遊技盤上を流下する遊技球を跳躍台および磁力によって格別斬新な動きをなすようにし、パチンコ遊技の興趣を増大させる。【解決手段】磁石７からなる誘導体６を遊技盤Ａの遊技領域に緩やかな傾斜状に配置するとともに、遊技球Ｐを誘導体の磁力域にジャンプさせる跳躍台１０を設け、ジャンプした遊技球が該誘導体の下面に磁力で吸着され宙吊状態となって移動するようにした。跳躍台は球誘導経路を略「し」字形に形成し、誘導体の側部に設ける。誘導体は磁石の両側に強磁性体からなる一対のレール板８，８を配置してなり、該レール板の下縁を磁石の下面より僅かに突出させてなる。【選択図】図２
2005058433.tif 000002
【特許請求の範囲】
【請求項１】
磁石からなる誘導体を遊技盤の遊技領域に緩やかな傾斜状に配置するとともに、遊技球を前記誘導体の磁力域にジャンプさせる跳躍台を設け、ジャンプした遊技球が該誘導体の下面に磁力で吸着され宙吊状態となって移動するようにしたことを特徴としたパチンコ機の遊技球誘導装置。
【請求項２】
跳躍台は球誘導経路を略「し」字形に形成することで遊技球を自重により付勢させるものであって、該跳躍台を遊技盤上の誘導体の側部に設けた請求項１に記載のパチンコ機の遊技球誘導装置。
【請求項３】
跳躍台の底部に球抜口を形成した請求項１または２に記載のパチンコ機の遊技球誘導装置。
【請求項４】
誘導体は磁石の両側に強磁性体からなる一対のレール板を配置してなり、該レール板の下縁を磁石の下面より僅かに突出させてなるものである請求項１〜３のいずれかに記載のパチンコ機の遊技球誘導装置。
【発明の詳細な説明】
【技術分野】
【０００１】
本発明はパチンコ機の遊技盤面にある遊技球を誘導することにより遊技の興趣を増大させる遊技球誘導装置に関するものである。
【背景技術】
【０００２】
遊技盤上を様々な道程を経て流落する遊技球を永久磁石により吸引することにより入賞を容易ならしめる入賞装置は従来から知られている。
また、下記特許文献１に示されたパチンコ機では、遊技球を受ける受部材を設け、この受部材の上方に位置して磁石を下方に臨むように傾斜状に設けることにより、この受部材で受けた遊技球が磁石に磁力で吸着され該磁石の傾斜によって遊技球がぶら下がった状態で移動するようにしたものである。
【特許文献１】特許第３１４６１６３号公報
【発明の開示】
【発明が解決しようとする課題】
【０００３】
ところで、パチンコ機における遊技球の動きには、上記のように磁石を利用したものであっても、一層スピード感のある斬新な動きが求められるが、従来のパチンコ機では未だ満足できない状況であった。
【０００４】
そこで本発明は、磁力によって遊技球に格別斬新な動きをさせ、パチンコ機の興趣を増大させようとするものである。
【課題を解決するための手段】
【０００５】
そのために本発明に係るパチンコ機の遊技球誘導装置は、磁石からなる誘導体を遊技盤の遊技領域に緩やかな傾斜状に配置するとともに、遊技球を前記誘導体の磁力域にジャンプさせる跳躍台を設け、ジャンプした遊技球が該誘導体の下面に磁力で吸着され宙吊状態となって移動するようにしたことを特徴とする。
【０００６】
また本発明は上記遊技球誘導装置において、跳躍台は球誘導経路を略「し」字形に形成し、遊技盤上の誘導体の側部に設けたことを特徴とする。
これによって強いジャンプ力が得られ、遊技球を高くジャンプさせることができる。
【０００７】
また本発明は上記遊技球誘導装置において、跳躍台の底部に球抜口を形成したことを特徴とする。
これによって跳躍台上に遊技球が停留するのを防ぐことができ、遊技球を次々とジャンプさせるのに邪魔とならない。
【０００８】
また本発明は上記遊技球誘導装置において、誘導体は磁石の両側に強磁性体からなる一対のレール板を配置してなり、該レール板の下縁を磁石の下面より僅かに突出させてなるものであることを特徴とする。
これによって誘導体による遊技球の磁着力を強くすることができる。
【発明の効果】
【０００９】
跳躍台によって遊技球が加速され適度な高さにジャンプできた場合に該遊技球が誘導体の下面に吸着され、その後、該遊技球は誘導体の傾斜により宙吊状態となって移動する。このようにジャンプによって磁力吸引されることで、遊技球がスピード感に富んだ動きとなって遊技者を楽しませることができる。
【実施例１】
【００１０】
図１は本発明に係るパチンコ機の遊技盤Ａの正面図で、図中、１は液晶ディスプレイ，セグメント表示装置等の図柄変動表示器、２は該図柄変動表示器の下部中央に設けられた始動入賞口、３は普通入賞口、４は可変入賞装置、５は風車である。６は図柄変動表示器の上部に緩やかな傾斜状に配置された直線状の誘導体である。該誘導体６は、図２および図３に示すように、両側面に磁極を有するように磁化された棒状の磁石７が内設され、該磁石７の両側面に鉄板等の強磁性体の金属板からなるレール板８，８が配置され、該各レール板の下縁を磁石７の下面より僅かに突出させるとともに、該レール板８，８の間隔を遊技球Ｐの直径より少し狭いものとしている。そして該誘導体６に磁力によって遊技球Ｐが吸着されるようにするとともに、該遊技球Ｐの外周面が該レール板８，８の下縁に当接した状態で、該遊技球Ｐと磁石７の下面との間に隙間ｇ（１ｍｍ程度）が存するように、該レール板８，８の下方突出寸法および間隔が調整される。なお、９は誘導体６の傾斜下端部の直下に設けられた特定入賞口である。
【００１１】
１０は球誘導経路を略「し」字形に形成し遊技盤上の誘導体６の側部に設けた跳躍台で、該跳躍台は鉛直なる基部１０ａと先端部１０ｂとからなり、該先端部１０ｂの先が誘導体６の下面に対向している。なお、１１は跳躍台の底部に相当する基部１０ａと先端部１０ｂとの間に滞留球を落下させるために形成された球抜口で、滞留球を該球抜口から落下させることにより後続する遊技球のジャンプが邪魔されないようにしている。
【００１２】
このように構成した遊技球誘導装置では、図３に示したように遊技球Ｐが自重で跳躍台１０を滑落することにより勢が付いてジャンプし、ジャンプした遊技球Ｐが該誘導体６の下面にうまく低速で接近した場合には磁石７の磁力により吸着されレール板８，８に磁着する。また、ジャンプした遊技球が誘導体６の下面に強く衝突したり、或いはジャンプ高さが十分でないと磁力によりで吸着されることなく落下する。
【００１３】
そして図２に示したようにレール板８，８に磁着した遊技球Ｐは、該誘導体６が緩い傾斜状に設けられているために、レール板８，８に宙吊り状態となって下方に転動する。その際、遊技球Ｐは図柄変動表示器１の前面を過ぎることがら遊技者の注意を喚起させる。そして、該遊技球Ｐは該誘導体６の下端部より落下し特定入賞口９に入賞し易いものとなる。なお、特定入賞口９に遊技球Ｐが入賞することにより、賞球が払い出されるとともに、大当たりの発生確率が高くなるなど遊技者にとってさらに有利な状態に変化する。
【００１４】
また、上記のように磁石７を挟むようにレール板８，８を設け、遊技球Ｐと磁石７の下面との間に隙間ｇが存するように、該レール板８，８の下方突出寸法および間隔を設定したことにより、磁石７による吸着力が増し、遊技球Ｐをより確実に吸着できるようになる。また、誘導体６の長手方向に沿い磁力の強い箇所と弱い箇所が交互に存するように磁力の分布を考慮することにより、遊技球Ｐはその磁力に吸着されステップ状の動きを伴って移動し特有の動きとなり得る。また、上記磁石７を電磁石として遊技状態に連動し磁力が制御されるようにすることも可能である。
【実施例２】
【００１５】
一方、図４に示した実施例は、球誘導経路を略「し」字形に形成した跳躍台１０を遊技盤Ａ上に設け、該跳躍台の底部に相当する遊技盤Ａ面に球抜口１１を開設し、滞留球が該球抜口１１より遊技盤Ａ裏に排出されるようにしたものである。このように球抜口１１を遊技盤Ａ面に開設することにより跳躍台１０の球誘導経路を一連の形態にすることができる。なお、図５に示したように該球抜口１１を遊技盤Ａ内にて出口１２に連通させることにより球抜口１１より遊技盤Ａ裏に排出された遊技球が遊技盤の前面に戻されるようにすることもできる。
【００１６】
そしてこれらの実施例に示したように、本発明では遊技球をジャンプさせ誘導体の下面に磁力で吸着させることから、スピード感のある今までにない特有な動きを遊技者に見せることができる。
【図面の簡単な説明】
【００１７】
【図１】本発明の遊技球誘導装置の実施例を示すパチンコ機の遊技盤の正面図。
【図２】図１の要部の拡大正面図。
【図３】図２のＡ−Ａ線断面図。
【図４】本発明の他の実施例を示す遊技球誘導装置の正面図。
【図５】図４のＢ−Ｂ線断面図。
【符号の説明】
【００１８】
Ａ    遊技盤
Ｐ    遊技球
ｇ    隙間
６    誘導体
７    磁石
８    レール板
９    特定入賞口
１０  跳躍台
１１  球抜口
【図１】
2005058433.tif 000003
【図２】
2005058433.tif 000004
【図３】
2005058433.tif 000005
【図４】
2005058433.tif 000006
【図５】
2005058433.tif 000007